【手続補正書】
【提出日】平成17年5月12日(2005.5.12)
【手続補正１】
【補正対象書類名】明細書
【補正対象項目名】発明の名称
【補正方法】変更
【補正の内容】
【発明の名称】アルバム表示システム、アルバム提供装置、アルバム表示方法、プログラム及び記憶媒体
【手続補正２】
【補正対象書類名】明細書
【補正対象項目名】特許請求の範囲
【補正方法】変更
【補正の内容】
【特許請求の範囲】
【請求項１】
複数の画像データをまとめてアルバム単位で保管し、ネットワーク経由で通信端末に前記アルバムを表示させるアルバム表示システムにおいて、
前記アルバムに含まれる複数の画像データのうち所定数の画像データを表示するための表示情報を生成する第１の生成手段と、
前記アルバムに含まれる複数の画像データの全てを表示するための表示情報を生成する第２の生成手段と、
前記通信端末の種別を識別する識別手段と、
前記識別手段により識別された種別に応じて、前記第１の生成手段あるいは前記第２の生成手段のうちいずれか一方によって表示情報を生成するよう制御する制御手段
を備えたことを特徴とするアルバム表示システム。
【請求項２】
前記通信端末はＷｅｂブラウザ機能を備え、前記第１の生成手段及び前記第２の生成手段はＷｅｂページ記述言語によって表示情報を生成することを特徴とする請求項１に記載のアルバム表示システム。
【請求項３】
前記制御手段は、前記識別手段により前記通信端末の種別が携帯通信端末であると識別されれば、前記第１の生成手段によって表示情報を生成し、前記識別手段により前記通信端末の種別がパーソナルコンピュータであると識別されれば、前記第２の生成手段によって表示情報を生成するよう制御することを特徴とする請求項１に記載のアルバム表示システム。
【請求項４】
前記第１の生成手段により表示情報を生成した日時を記憶する記憶手段とを備え、
前記第１の生成手段は、前記記憶手段に記憶された日時に基づいて前記生成を中止することを特徴とする請求項１に記載のアルバム表示システム。
【請求項５】
前記第１の生成手段及び前記第２の生成手段はそれぞれ前記画像データの詳細情報を表示するための詳細表示情報を生成することを特徴とする請求項１に記載のアルバム表示システム。
【請求項６】
前記画像データの詳細情報は、前記画像データの名称、前記画像データの表示情報を生成した回数、前記画像データに対するコメントであることを特徴とする請求項５に記載のアルバム表示システム。
【請求項７】
前記アルバムに含まれる複数の画像データのうち所定数の画像データのサムネイル画像を複製する複製手段とを備え、
前記第１の生成手段は、前記複製手段により複製されたサムネイル画像を表示するための表示情報を生成することを特徴とする請求項１に記載のアルバム表示システム。
【請求項８】
複数の画像データをまとめてアルバム単位で保管するサーバ装置と接続する接続手段と、
前記アルバムに含まれる複数の画像データのうち所定数の画像データを複製して前記サーバ装置に格納する格納手段と、
通信端末の種別に基づく前記サーバ装置からの指示に応じて、前記格納手段により格納された所定数の画像データを通信端末に表示するための表示情報を生成する生成手段とを備えたことを特徴とするアルバム提供装置。
【請求項９】
前記生成手段により表示情報を生成した日時を記憶する記憶手段とを備え、
前記生成手段は、前記記憶手段に記憶された日時に基づいて前記生成を中止することを特徴とする請求項８に記載のアルバム提供装置。
【請求項１０】
前記格納手段は前記画像データの属性情報も複製して前記サーバ装置に格納し、
前記生成手段は、前記格納手段により格納された画像データの属性情報を表示するための表示情報を生成することを特徴とする請求項８に記載のアルバム提供装置。
【請求項１１】
前記通信端末の機種に応じて前記表示情報を変換するデータ変換装置と接続する第２の接続手段と、
前記第２の接続手段により接続されたデータ変換装置へ前記生成手段により生成された表示情報を送信する送信手段とを備えたことを特徴とする請求項８に記載のアルバム提供装置。
【請求項１２】
前記接続手段は、前記通信端末の種別が携帯通信端末である場合に前記サーバ装置と接続されることを特徴とする請求項８に記載のアルバム提供装置。
【請求項１３】
複数の画像データをまとめてアルバム単位で保管し、ネットワーク経由で通信端末に前記アルバムを表示させるアルバム表示方法において、
前記アルバムに含まれる複数の画像データのうち所定数の画像データを表示するための表示情報を生成する第１の生成ステップと、
前記アルバムに含まれる複数の画像データの全てを表示するための表示情報を生成する第２の生成ステップと、
前記通信端末の種別を識別する識別ステップと、
前記識別ステップにおいて識別された種別に応じて、前記第１の生成ステップあるいは前記第２の生成ステップのうちいずれか一方において表示情報を生成するよう制御する制御ステップ
を備えたことを特徴とするアルバム表示方法。
【請求項１４】
複数の画像データをまとめてアルバム単位で保管し、ネットワーク経由で通信端末に前記アルバムを表示させるコンピュータに、
前記アルバムに含まれる複数の画像データのうち所定数の画像データを表示するための表示情報を生成する第１の生成ステップと、
前記アルバムに含まれる複数の画像データの全てを表示するための表示情報を生成する第２の生成ステップと、
前記通信端末の種別を識別する識別ステップと、
前記識別ステップにおいて識別された種別に応じて、前記第１の生成ステップあるいは前記第２の生成ステップのうちいずれか一方において表示情報を生成するよう制御する制御ステップ
を実行させるためのプログラム。
【請求項１５】
複数の画像データをまとめてアルバム単位で保管し、ネットワーク経由で通信端末に前記アルバムを表示させるコンピュータに、
前記アルバムに含まれる複数の画像データのうち所定数の画像データを表示するための表示情報を生成する第１の生成ステップと、
前記アルバムに含まれる複数の画像データの全てを表示するための表示情報を生成する第２の生成ステップと、
前記通信端末の種別を識別する識別ステップと、
前記識別ステップにおいて識別された種別に応じて、前記第１の生成ステップあるいは前記第２の生成ステップのうちいずれか一方において表示情報を生成するよう制御する制御ステップ
を実行させるためのプログラムをコンピュータ読み出し可能に記憶したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、複数の画像データをまとめてアルバム単位で保管し、保管されたアルバムに含まれる画像をネットワーク経由で通信端末に公開するためのアルバム表示システム、アルバム提供装置、アルバム表示方法、プログラム及び記憶媒体に関する。
【手続補正４】
【補正対象書類名】明細書
【補正対象項目名】０００９
【補正方法】変更
【補正の内容】
【０００９】
本発明は、上記従来技術の問題点を解決するために提案されたものであり、その目的は、複数の画像データをまとめてアルバム単位で保管し、保管されたアルバムに含まれる画像をネットワーク経由で通信端末に公開する処理を効率的に実行することである。
【手続補正５】
【補正対象書類名】明細書
【補正対象項目名】００１０
【補正方法】変更
【補正の内容】
【００１０】
【課題を解決するための手段】
斯かる目的下において、本願に係る発明の１つは、複数の画像データをまとめてアルバム単位で保管し、ネットワーク経由で通信端末に前記アルバムを表示させるアルバム表示システムにおいて、前記アルバムに含まれる複数の画像データのうち所定数の画像データを表示するための表示情報を生成する第１の生成手段と、前記アルバムに含まれる複数の画像データの全てを表示するための表示情報を生成する第２の生成手段と、前記通信端末の種別を識別する識別手段と、前記識別手段により識別された種別に応じて、前記第１の生成手段あるいは前記第２の生成手段のうちいずれか一方によって表示情報を生成するよう制御する制御手段を備えたことを特徴とする。
【手続補正６】
【補正対象書類名】明細書
【補正対象項目名】００１１
【補正方法】削除
【補正の内容】